【事件の表示】
　特願２００２−１７０９０１「記録装置、記録方法、プログラム」拒絶査定不服審判事件〔平成１６年　１月２２日出願公開、特開２００４−　２１９９６〕について、次のとおり審決する。
【結　論】
　本件審判の請求は、成り立たない。
【理　由】
第１　手続の経緯
　
　本願は、平成１４年６月１２日の出願であって、平成１９年４月１７日付け拒絶理由通知に対する応答期間内の平成１９年６月２５日付けで手続補正がなされたが、平成１９年７月１３日付けで拒絶査定がなされ、これに対し、平成１９年８月２３日に拒絶査定不服審判が請求されるとともに、同年９月２５日付けで手続補正がなされた。
　その後、平成２２年３月１２日付けで前置報告書に基づく審尋がなされたが、回答書は提出されなかったものである。
　
第２　平成１９年９月２５日付けの手続補正についての補正却下の決定
　
［補正却下の決定の結論］
　平成１９年９月２５日付けの手続補正を却下する。
　
［理由］
１．本件補正
　
　平成１９年９月２５日付けの手続補正（以下「本件補正」という。）により、特許請求の範囲の請求項１については、補正前、
　「【請求項１】　データと、該データをプログラム単位で管理する第１の管理情報とが記録される第１の記憶媒体から、上記第１の管理情報と、プログラム単位によるデータを読み出すことができるデータ読み出し手段と、
　上記データ読み出し手段により読み出した上記プログラム単位のデータを、第２の記憶媒体に記録する記録手段と、
　所定のネットワークを介してプログラム単位のデータとこのプログラム単位のデータが記録されているとされる第１の記憶媒体に記録されている第１の管理情報をダウンロードすることのできるダウンロード手段と、
　上記第２の記憶手段に記録されたプログラム単位のデータと、このプログラム単位のデータが記録されていた第１の記憶媒体から、上記データ読み出し手段が読み出して取得したとされる上記第１の管理情報とを対応づけて管理する第２の管理情報を生成する管理情報生成手段と、
　上記ダウンロード手段によりダウンロードしたプログラム単位のデータが記録されているとされる第１の記憶媒体に記録されている第１の管理情報と、上記第２の管理情報の情報内容とを比較することにより、上記ダウンロード手段によりダウンロードされるプログラム単位のデータのうちから、上記第２の記憶媒体に記録されていないとされる未記録のプログラム単位のデータを判別する未記録プログラム判別手段と、
　上記未記録プログラム判別手段による判別結果に基づいて、未記録のプログラム単位のデータを上記ダウンロード手段によりダウンロードさせると共に、このダウンロード手段によりダウンロードされた未記録のプログラム単位のデータを、上記記録手段により第２の記憶媒体に記憶させるための制御を実行する制御手段と、
　を備えていることを特徴とする記録装置。」
　とあったところを、　
　
　本件補正後、
「【請求項１】　複数のプログラムと、各プログラムの識別情報を含み上記複数のプログラムをプログラム単位で管理する第１の管理情報とが記録される第１の記憶媒体から、上記第１の管理情報とプログラムを読み出すことができるデータ読み出し手段と、
　上記データ読み出し手段により読み出したプログラムを、第２の記憶媒体に記録する記録手段と、
　所定のネットワークを介してプログラムとこのプログラムが記録されているとされる第１の記憶媒体に記録されている第１の管理情報をダウンロードすることのできるダウンロード手段と、
　上記第２の記憶手段に記録されたプログラムと、このプログラムが記録されていた第１の記憶媒体から、上記データ読み出し手段が読み出して取得したとされる上記第１の管理情報とを対応づけて管理する第２の管理情報を生成する管理情報生成手段と、
　上記ダウンロード手段によりダウンロードしたプログラムが記録されているとされる第１の記憶媒体に記録されている第１の管理情報に含まれるプログラムの識別情報と、上記第２の管理情報の各プログラムの識別情報とを比較することにより、上記ダウンロード手段によりダウンロードされるプログラムのうちから、上記第２の記憶媒体に記録されていないとされる未記録のプログラムを判別する未記録プログラム判別手段と、
　上記未記録プログラム判別手段による判別結果に基づいて、未記録のプログラムを上記ダウンロード手段によりダウンロードさせると共に、このダウンロード手段によりダウンロードされた未記録のプログラムを、上記記録手段により第２の記憶媒体に記憶させるための制御を実行する制御手段と、
　を備えていることを特徴とする記録装置。」
　としようとするものである。
　
２．補正の適否
　　
　本件補正前の特許請求の範囲の請求項１に係る発明の発明特定事項である「上記ダウンロード手段によりダウンロードしたプログラム単位のデータが記録されているとされる第１の記憶媒体に記録されている第１の管理情報と、上記第２の管理情報の情報内容とを比較することにより、上記ダウンロード手段によりダウンロードされるプログラム単位のデータのうちから、上記第２の記憶媒体に記録されていないとされる未記録のプログラム単位のデータを判別する未記録プログラム判別手段」について、本件補正後「上記ダウンロード手段によりダウンロードしたプログラムが記録されているとされる第１の記憶媒体に記録されている第１の管理情報に含まれるプログラムの識別情報と、上記第２の管理情報の各プログラムの識別情報とを比較することにより、上記ダウンロード手段によりダウンロードされるプログラムのうちから、上記第２の記憶媒体に記録されていないとされる未記録のプログラムを判別する未記録プログラム判別手段」とするものである。
　審判請求人は、請求理由において、「プログラム単位のデータ」を「プログラム」と、「第１の管理情報」を「第１の管理情報に含まれるプログラムの識別情報」と、「第２の管理情報の情報内容」を「第２の管理情報の各プログラムの識別情報」と、それぞれ補正する補正事項は、出願当初の明細書段落０００４、０００８、００１８、０１３８，０１３９，図１５の記載に基づくものである旨、主張している。
　そこで、出願当初の明細書段落【０１３８】【０１３９】及び図１５の記載事項について検討する。
　段落【０１３８】には、「ステップＳ７０２では、受信した要求情報に基づいて、先ず、記憶部１０１に記憶されているダウンロード用オーディオデータ群１０２からオーディオデータを検索する。つまり、例えば受信した要求情報に含まれているデータＩＤと一致するオーディオデータを検索するものである。…」と、段落【０１３９】には、「そして、次のステップＳ７０３では、上記ステップＳ７０２の処理により検索して得たオーディオデータ、及びＣＤ−ＴＯＣを、ネットワークインターフェース１０６に転送し、要求元のリッピングシステム装置１のアドレス（例えばＩＰアドレス）を指定して送信させるための制御処理を実行する。これによりダウンロード要求を行ったリッピングシステム装置１に対して、オーディオデータ及びＣＤ−ＴＯＣの情報がダウンロードデータとしてネットワーク経由で送信されることになる。」と記載されており、要求情報に基づいて検索されたオーディオデータ及びＣＤ−ＴＯＣ（「プログラム」及び「第１の管理情報」）をダウンロードデータとして送信することは記載されているが、送信されるオーディオデータ（プログラム）について、「上記ダウンロード手段によりダウンロードしたプログラムが記録されているとされる
第１の記憶媒体に記録されている第１の管理情報に含まれるプログラムの識別情報と、上記第２の管理情報の各プログラムの識別情報とを比較することにより、上記ダウンロード手段によりダウンロードされるプログラムのうちから、上記第２の記憶媒体に記録されていないとされる未記録のプログラムを判別
　
　結局、上記本件補正は、願書に最初に添付した明細書又は図面に記載した範囲内においてしたものではないから、特許法第１７条の２第３項で規定する要件を満たしていない。
　
３．補正についてのむすび
　
　したがって、本件補正は、特許法第１７条の２第３項の規定に違反するので、同法第１５９条第１項において読み替えて準用する同法第５３条第１項の規定により却下すべきものである。
　
第３　本願発明
　
１．本願発明
　
　平成１９年９月２５日付け手続補正は、上記のとおり却下されたので、本願請求項１に係る発明は、平成１９年６月２５日付け手続補正で補正された明細書の特許請求の範囲の請求項１に記載された事項により特定されるとおりのものと認められるところ、その請求項１に係る発明は、前記「第２　１．」に記載したとおりのものである。
　
２．引用例
　
　これに対して、原査定の拒絶の理由に引用された特開２００１−１８９０４８号公報（平成１３年７月１０日公開、以下「引用例１」という。）には、記録装置に関し、図面と共に、以下の記載がある。なお、下線は当審で付与した。
　
（１）「【特許請求の範囲】
【請求項１】デジタルデータと、このデジタルデータの検索情報とが記録されている媒体からそのデジタルデータを再生する再生手段と、
この再生手段によって再生された上記デジタルデータが書き込まれるとともに、上記検索情報が管理テーブルに記録される記録手段と、
上記再生手段からのデジタルデータを上記記録手段に書き込むとき、上記検索情報により上記管理テーブルを検索し、
この検索の結果、上記検索情報が上記管理テーブルにないときには、上記媒体に記録されているデジタルデータの上記記録媒体への書き込みを許可し、
上記検索の結果、上記検索情報が上記管理テーブルにあるときには、上記媒体に記録されているデジタルデータの上記記録手段への書き込みを禁止するように制御する制御回路とを有する記録装置。
【請求項２】〜【請求項８】（省略）」
　
（２）「【０００１】
【発明の属する技術分野】この発明は、
記録装置
　
（３）「【００１０】
【発明の実施の形態】図１は、この発明による装置の一例について、オーディオ信号ラインを中心にして示す。
【００１１】すなわち、符号１０は、例えば音楽のデジタルオーディオデータが記録されているＣＤである。なお、このＣＤ１０が、「ＣＤテキスト」の規格にしたがったＣＤの場合には、ＣＤ１０のリードイン領域のトラックに含まれるＲ〜Ｗチャンネルに、そのＣＤ１０の付加的な文字情報、例えばＣＤ１０のタイトルや演奏者などのデータが記録されている。
【００１２】そして、ＣＤ１０は、再生手段であるＣＤドライブ装置２１により再生されるものであり、このＣＤドライブ装置２１からは復調やエラー訂正などの再生処理の行われたデジタルオーディオデータが取り出され、このデジタルオーディオデータがバスライン２９に供給される。
【００１３】また、バスライン２９には、バッファ用のメモリ２２が接続されるとともに、データ圧縮用のエンコーダ回路２３が接続される。このエンコーダ回路２３は、例えばＤＳＰにより構成され、ＣＤ１０から再生されたデジタルオーディオデータを、例えばＡＴＲＡＣ処理（ＡＴＲＡＣは登録商標）により１／10程度のデータ量にデータ圧縮するものである。
【００１４】さらに、バスライン２９には、大容量の記録手段として、例えばＨＤＤ２４が接続される。この
ＨＤＤ２４は、ＣＤ１０のデジタルオーディオデータ（データ圧縮後のデジタルオーディオデータ）を蓄積しておくためのものであり、例えば16Ｇバイトの容量を有する。したがって、ＨＤＤ２４は、上記のように少なくとも100枚のＣＤについて、データ圧縮されたデジタルオーディオデータを記録し
【００１５】また、
ＨＤＤ２４には、例えば図３に示すような管理テーブル２４Ｔが１つのファイルとして用意される。この管理テーブル２４Ｔは、ＣＤ１０のデジタルオーディオデータをデータ圧縮してＨＤＤ２４に蓄積あるいは書き込んだとき、その書き込み元のＣＤ１０を特定するための情報と、その書き込まれたＣＤ１０の各トラックの書き込み位置（ＨＤＤ２４における書き込み位置）とを保持する
【００１６】このため、管理テーブル２４Ｔには、例えば100個のデータ欄＃１〜＃100が用意される。このデータ欄＃１〜＃100のそれぞれは、ＨＤＤ２４にデジタルオーディオデータが記録されたＣＤの１枚に対応するものであり、さらに、＃１〜＃100は、ＨＤＤ２４に内容がコピーされたＣＤを選択するときのＣＤ番号としても使用される。
【００１７】そして、データ欄（ＣＤ番号）＃１〜＃100のそれぞれには、「ＴＯＣデータ」、「トラック数」、「トラック１の開始位置および終了位置」、「トラック２の開始位置および終了位置」、・・・、「最終トラックの開始位置および終了位置」、「ＣＤのタイトル」のセルが用意されている。
【００１８】ここで、
ＣＤ１０は、そのトラックに関する時間情報をＴＯＣに有しているとともに、このＴＯＣは一般にＣＤ１０ごとに異なる
【００１９】さらに、「トラック数」のセルには、対応するＣＤ１０の全トラック数が書き込まれる。また、「トラック１の開始位置および終了位置」〜「最終トラックの開始位置および終了位置」のセルには、それぞれのトラック（ＣＤ１０におけるトラック）の、ＨＤＤ２４における書き込み開始位置および書き込み終了位置が書き込まれる。」
　
（４）「【００３５】〔ＣＤからＨＤＤへの記録〕これは、ＣＤ１０におけるデジタルオーディオデータをデータ圧縮してＨＤＤ２４に蓄積あるいは書き込む場合である。
【００３６】すなわち、
ＣＤドライブ装置２１にＣＤ１０をセットすると、上述のように、ＣＤ１０からＴＯＣのデータが読み出されて制御回路４１に保存され
【００３７】そして、今の場合は、〔ＣＤからＨＤＤへの記録〕なので、キー４２のうちのコピーキーを押すと、処理はステップ１０３からステップ１１１に進み、ステップ１０３で入力されたキーが判別される。
【００３８】すると、今の場合、コピーキーが押されたので、処理はステップ１１１からステップ１２１に進み、このステップ１２１において、ステップ１０２により
読み出されたＴＯＣのデータを検索語として、管理テーブル２４Ｔの「ＴＯＣデータ」のセルのデータが検索される
【００３９】そして、次のステップ１２２において、ステップ１２１の検索結果が判別され、ステップ１０２により
読み出されたＴＯＣのデータが管理テーブル２４Ｔの「ＴＯＣデータ」のセルにないときには、処理はステップ１２２からステップ１２３に進み、このステップ１２３において、ＣＤ１０がＨＤＤ２４にコピーされる
【００４０】すなわち、
ＣＤドライブ装置２１によりＣＤ１０からデジタルオーディオデータが再生され、このデジタルオーディオデータが、ＣＤドライブ装置２１からバスライン２９を通じていったんメモリ２２に書き込まれるとともに、所定のタイミングでメモリ２２から読み出される。そして、この読み出されたデジタルオーディオデータが、バスライン２９を通じてエンコーダ回路２３に供給されてＡＴＲＡＣ処理によりデータ圧縮され、このデータ圧縮されたデジタルオーディオデータが、バスライン２９を通じてＨＤＤ２４に供給される。こうして、ＣＤ１０のデジタルオーディオデータはデータ圧縮された状態でＨＤＤ２４に書き込まれていく
【００４１】また、このとき、
コピーされたＣＤ１０およびトラック（ＣＤ１０におけるトラック）の情報が、ＨＤＤ２４の管理テーブル２４Ｔに登録される。すなわち、ＣＤ１０のコピーが第ｎ番目（ｎ＝１〜100のどれか）であれば、管理テーブル２４ＴのＣＤ番号＃ｎの欄の「ＴＯＣデータ」のセルに、ステップ１０２によりＣＤ１０から読み出して制御回路４１に保存したＴＯＣのデータが書き込まれる。また、ＣＤ１０のトラック数が、ＣＤ番号＃ｎの欄の「トラック数」のセルに書き込まれる
【００４２】さらに、ＣＤ１０のデジタルオーディオデータがＨＤＤ２４に書き込まれたときの書き込み開始位置および書き込み終了位置が、そのＣＤ１０のトラックごとに、ＣＤ番号＃ｎの欄の「トラック１の開始位置および終了位置」〜「最終トラックの開始位置および終了位置」のセルのうち、対応するセルに書き込まれる。
【００４３】また、キー４２からＣＤ１０やトラックなどについての文字情報を入力すると、その文字データがいったんメモリ３１に保存され、ＣＤ１０のコピーを終了したとき、メモリ３１から読み出されて管理テーブル２４ＴのＣＤ番号＃ｎの欄の「タイトル」のセルに書き込まれる。なお、ＣＤ１０がＣＤテキストのときには、ＣＤ１０に付加されている文字情報も書き込まれる。
【００４４】こうして、ＣＤ１０の内容がＨＤＤ２４に書き込まれると、これに対応して
管理テーブル２４Ｔも更新される。
【００４５】そして、以上の処理を終了すると、処理はステップ１２３からステップ１１９に進み、このルーチン１００を終了する。
【００４６】したがって、
あるＣＤ１０がＨＤＤ２４にまだコピーされていないときには、そのＣＤ１０がＨＤＤ２４にコピーされるとともに、このとき、そのＣＤ１０を特定する情報もＨＤＤ２４の管理テーブル２４Ｔに登録されることになる
【００４７】一方、ステップ１２２において、ステップ１０２により読み出されたＴＯＣのデータが管理テーブル２４Ｔの「ＴＯＣデータ」のセルにあるときには、処理はステップ１２２からステップ１３１に進み、このステップ１３１において、制御回路４１からバスライン２９を通じて表示制御回路３２に所定のデータが供給され、この結果、ＬＣＤ３３には、例えば図４に示すように、コピーしようとしたＣＤ１０がすでにＨＤＤ２４にコピーされていることを示す注意文の文字列が表示される。
【００４８】続いて、処理はステップ１３２に進み、制御回路４１からの指示にしたがってＣＤドライブ装置２１からＣＤ１０がイジェクトされ、その後、ステップ１１９によりこのルーチン１００を終了する。」
　
　上記摘示事項を図面を参照して総合整理すると、引用例１には、次の発明（以下「引用発明」という。）が記載されているものと認める。
　
「デジタルデータと、検索情報とが記録されているＣＤから、デジタルデータと、検索情報を再生する再生手段と、
　再生手段によって再生された上記デジタルデータを記録する記録手段と、
　記録手段には、ＣＤのデジタルデータを書き込んだとき、その書き込み元のＣＤの検索情報と、書き込まれたＣＤの各トラックの書き込み位置とを保持する管理テーブルを用意し、
　上記再生手段からのデジタルデータを上記記録手段に書き込むとき、上記検索情報により上記管理テーブルを検索し、検索の結果、上記検索情報が上記管理テーブルにないときには、上記ＣＤに記録されているデジタルデータの上記記録手段への書き込みを許可するように制御する制御回路とを有する記録装置。」
　
　同じく、原査定の拒絶の理由に引用された特開２００１−３５７４５２号公報（平成１３年１２月２６日公開、以下「引用例２」という。）には、図面と共に、以下の記載がある。なお、下線は当審で付与した。
　
（５）「【０００２】
【従来の技術】楽曲データをＭＤ（Mini Disc）などの記録媒体に記録して販売する販売システムの運営が開始されてきている。このような販売システムにあっては、例えばサーバと接続されたマルチメディア端末装置を店舗等に設置する。マルチメディア端末装置には、
サーバからダウンロードした楽曲データが格納される
　
（６）【０１０５】ところで、上記図１０（ｃ）に示したようにして、ＭＤに対してベストテン以外の楽曲ＫをＭＤに記録するのにあたっては、先ず、記憶部１０４に記憶されているオーディオデータについて検索を行う。ここで、
記憶部１０４に楽曲Ｋのオーディオデータが記憶されていることが検索されれば、この楽曲Ｋのオーディオデータを記憶部１０４から読み出して、ＭＤレコーダ／プレーヤ１０３に転送し、ＭＤに対して記録を行う。これに対して、楽曲Ｋのオーディオデータは、記憶部１０４に記憶されていないという検索結果が得られた場合には、販売端末装置１００から情報センター２００に対して楽曲Ｋを要求するためのコマンドを送信する。情報センター２００では、供給可能楽曲データ２１３から楽曲Ｋを検索し、この楽曲Ｋのオーディオデータを販売端末装置１００に対して送信する。つまり、このような場合には、販売端末装置１００は、情報センター２００と通信を行ってＭＤへの記録に必要な楽曲データをダウンロードする
　
３．対比
　
　そこで、本願発明と引用発明とを対比する。
　
（１）引用発明の「デジタルデータ」は、本願発明の「データ」に相当する。
（２）引用発明の「ＣＤ」は、複数のトラック（プログラム）、すなわちプログラム単位のデータが記録されていることは明らかであり、本願発明の「第１の記憶媒体」に相当する。
（３）引用発明の「検索情報」は、トラック（プログラム）に関する時間情報を有する（摘示事項（３）、段落【００１８】）ものであるから、本願発明の「データをプログラム単位で管理する」「第１の管理情報」に相当する。
（４）引用発明の「再生手段」は、本願発明の「データ読み出し手段」に相当する。
（５）引用発明の「記録手段」は、記憶媒体（第２の記憶媒体）にデジタルデータを記録するものであることは明らかである。
（６）引用発明の「管理テーブル」は、「ＣＤのデジタルデータを書き込んだとき、その書き込み元のＣＤの検索情報を保持する」ものであるから、本願発明の「第２の管理情報」に相当し、引用発明は、本願発明の「上記第２の記憶手段に記録されたプログラムと、このプログラムが記録されていた第１の記憶媒体から、上記データ読み出し手段が読み出して取得したとされる上記第１の管理情報とを対応づけて管理する第２の管理情報を生成する管理情報生成手段」に相当する構成を備えている。
（７）引用発明の「再生手段からのデジタルデータを上記記録手段に書き込むとき、上記検索情報により上記管理テーブルを検索」することは、本願発明の「プログラム単位のデータが記録されているとされる第１の記憶媒体に記録されている第１の管理情報と、上記第２の管理情報の情報内容とを比較する」ことに相当する。そして、引用発明の「検索の結果、上記検索情報が上記管理テーブルにないとき」とは、ＣＤに記録されているプログラム単位のデータが記録手段に記録されていないときであるから、引用発明は、本願発明の「プログラム単位のデータのうちから、上記第２の記憶媒体に記録されていないとされる未記録のプログラム単位のデータを判別する」「未記録判別手段」に相当する構成を備えている。
　すると、引用発明と本願発明とは、「プログラム単位のデータが記録されているとされる第１の記憶媒体に記録されている第１の管理情報と、上記第２の管理情報の情報内容とを比較することにより、上記」「プログラム単位のデータのうちから、上記第２の記憶媒体に記録されていないとされる未記録のプログラム単位のデータを判別する未記録プログラム判別手段」を備える点で共通する。
（８）引用発明の「検索の結果、上記検索情報が上記管理テーブルにないときには、上記媒体に記録されているデジタルデータの上記記録手段への書き込みを許可するように制御する」「制御回路」は、本願発明の「上記未記録プログラム判別手段による判別結果に基づいて、未記録のプログラム単位のデータを…上記記録手段により第２の記憶媒体に記憶させるための制御を実行する」「制御手段」に相当する。
　
　そうすると、本願発明と引用発明とは、次の点で一致する。
　
＜一致点＞
「データと、該データをプログラム単位で管理する第１の管理情報とが記録される第１の記憶媒体から、上記第１の管理情報とプログラムを読み出すことができるデータ読み出し手段と、
　上記データ読み出し手段により読み出したプログラムを、第２の記憶媒体に記録する記録手段と、
　上記第２の記憶手段に記録されたプログラムと、このプログラムが記録されていた第１の記憶媒体から、上記データ読み出し手段が読み出して取得したとされる上記第１の管理情報とを対応づけて管理する第２の管理情報を生成する管理情報生成手段と、
　上記プログラム単位のデータが記録されているとされる第１の記憶媒体に記録されている第１の管理情報と、上記第２の管理情報の情報内容とを比較することにより、上記プログラム単位のデータのうちから、上記第２の記憶媒体に記録されていないとされる未記録のプログラム単位のデータを判別する未記録プログラム判別手段と、
　上記未記録プログラム判別手段による判別結果に基づいて、未記録のプログラム単位のデータを、上記記録手段により第２の記憶媒体に記憶させるための制御を実行する制御手段と、
　を備えている記録装置。」の点。
　
　そして、次の点で相違する。
　本願発明は、「所定のネットワークを介してプログラム単位のデータとこのプログラム単位のデータが記録されているとされる第１の記憶媒体に記録されている第１の管理情報をダウンロードすることのできるダウンロード手段」を備え、「未記録のプログラム単位のデータを上記ダウンロード手段によりダウンロードさせると共に、このダウンロード手段によりダウンロードされた未記録のプログラム単位のデータを、上記記録手段により第２の記憶媒体に記憶させる」のに対し、引用発明はダウンロードについての記載がない点。
　
４．判断
　
　そこで、上記相違点について検討する。
　
　記録装置に関して、引用発明及び本願発明と同一の技術分野に属する引用例２には、オーディオデータが、端末装置の記憶部（第１の記憶媒体）に記憶されていない場合、情報センターからオーディオデータをダウンロードしてＭＤ（第２の記憶媒体）に記録するものが記載されている。要するに、第１の記憶媒体からの情報を第２の記録媒体へ記録すると共に、該情報をネットワークを介してダウンロードして第２の記憶媒体に記録する技術が記載されている。
　そうすると、引用発明において、ＣＤ（第１の記憶媒体）からデジタルデータ（プログラム単位のデータ）と検索情報（第１の管理情報）とを再生して出力すると共に、所定のネットワークを介してこれらの情報をダウンロードする構成、すなわち、相違点のように、「所定のネットワークを介してプログラム単位のデータとこのプログラム単位のデータが記録されているとされる第１の記憶媒体に記録されている第１の管理情報をダウンロードすることのできるダウンロード手段」を備えることは、引用例２の上記技術に基づいて当業者が容易に想到できたものである。
　そして、デジタルデータをダウンロードする構成を採用するのであるから、「未記録のプログラム単位のデータを上記ダウンロード手段によりダウンロードさせると共に、このダウンロード手段によりダウンロードされた未記録のプログラム単位のデータを、上記記録手段により第２の記憶媒体に記憶させる」ことは自明の事項にすぎない。
　　
　そして、上記相違点を総合的に判断しても、本願発明が奏する効果は引用例１，２から、当業者が十分に予測できたものであって、格別なものとはいえない。
　したがって、本願発明は、引用例１，２に記載された発明に基づいて当業者が容易に発明をすることができたものである。
　
４．むすび
　
　以上のとおり、本願の請求項１に係る発明は、引用例に記載された発明に基づいて当業者が容易に発明をすることができたものであるから、特許法第２９条第２項の規定により特許を受けることができない。
　したがって、本願は、拒絶すべきものである。
　
　よって、結論のとおり審決する。